(57)【要約】【課題】デジタルカメラで撮影したカラー画像情報や、パソコンで表示されているカラー情報をそのまま従来のファクシミリ装置に送信することができなかった。。【解決手段】受信機から送信機に対して、色空間ＬａｂでのＪＰＥＧ符号化情報の受信機能の有無、色空間Ｌａｂでのフルカラー情報の受信機能の有無、色空間Ｌａｂでの一画素情報の拡張ビット数の受信機能の有無、色空間Ｌａｂでのオプションサブサンプリングの受信機能の有無、色空間Ｌａｂでの非標準照射光の受信機能の有無、色空間Ｌａｂでの非標準ガミュート範囲の受信機能の有無、及び色空間ｓＹＣＣでの受信機能の有無を通知し、送信機において色空間ｓＹＣＣでの送信が選択された場合、ＪＰＥＧ符号化情報の受信機能、色空間Ｌａｂでのフルカラー情報の受信機能及び色空間ｓＹＣＣでの受信機能が有りであれば、送信機は、カード３０に記憶しているＪＰＥＧファイル情報をそのまま受信機に送信する。【選択図】　図１
2004140466.tif 000002
【特許請求の範囲】
【請求項１】
カラー画像情報を通信する通信制御方法であって、
受信機から送信機に対して、
（１）色空間ＬａｂでのＪＰＥＧ符号化情報の受信機能の有無を通知し、
（２）色空間Ｌａｂでのフルカラー情報の受信機能の有無を通知し、
（３）色空間Ｌａｂでの一画素情報の拡張ビット数の受信機能の有無を通知し、
（４）色空間Ｌａｂでのオプションサブサンプリングの受信機能の有無を通知し、
（５）色空間Ｌａｂでの非標準照射光の受信機能の有無を通知し、
（６）色空間Ｌａｂでの非標準ガミュート範囲の受信機能の有無を通知し、
（７）色空間ｓＹＣＣでの受信機能の有無を通知し、
前記送信機において色空間ｓＹＣＣでの送信が選択された場合、前記工程（１）（２）及び（７）の受信機能が有りであれば、前記送信機は、メモリに記憶しているＪＰＥＧファイル情報をそのまま前記受信機に送信することを特徴とする通信制御方法。
【発明の詳細な説明】
【０００１】
【発明の属する技術分野】
本発明は、送信側の通信装置より受信側の通信装置にカラー画像情報を通信する技術に関するものである。
【０００２】
【従来の技術】
従来のファクシミリ装置では、カラー画像情報はＩＴＵ−Ｔ勧告Ｔ．８２で規定されているＪＰＥＧ符号化に従って符号化され、ＩＴＵ−Ｔ勧告Ｔ．４２の色空間Ｌａｂで送信されていた。このようなカラー画像の送信は、送信側及び受信側のファクシミリ装置がともにスタンドアローンのファクシミリ装置で、この規格によるカラー画像の送受信が可能であれば、充分に対応することができる。
【０００３】
【発明が解決しようとする課題】
しかしながら、例えば、デジタルカメラで撮影したカラー画像情報の色空間はｓＹＣＣであり、また、パソコンにてカラー画像情報を表示する場合の色空間はｓＹＣＣである。従って、上記従来例のファクシミリ装置では、デジタルカメラで撮影したカラー画像情報や、パソコンで表示されているカラー情報をそのまま従来のファクシミリ装置に送信することができなかった。
【０００４】
このような場合は、一度、そのカラー画像の色空間ｓＹＣＣをＲＧＢに戻し、再度、その色空間をＬａｂに変換してファクシミリ送信しなければならないため多くの手間を要し、更には、このような色空間の変換によりカラー画像の画質が劣化するという欠点があった。
【０００５】
本発明は上記従来例に鑑みてなされたもので、色空間ｓＹＣＣのカラー画像情報を容易に送受信できるようにすることを目的とする。
【０００６】
【課題を解決するための手段】
上記目的を達成するために本発明の通信制御方法は以下のような工程を備える。即ち、
カラー画像情報を通信する通信制御方法であって、
受信機から送信機に対して、
（１）色空間ＬａｂでのＪＰＥＧ符号化情報の受信機能の有無を通知し、
（２）色空間Ｌａｂでのフルカラー情報の受信機能の有無を通知し、
（３）色空間Ｌａｂでの一画素情報の拡張ビット数の受信機能の有無を通知し、
（４）色空間Ｌａｂでのオプションサブサンプリングの受信機能の有無を通知し、
（５）色空間Ｌａｂでの非標準照射光の受信機能の有無を通知し、
（６）色空間Ｌａｂでの非標準ガミュート範囲の受信機能の有無を通知し、
（７）色空間ｓＹＣＣでの受信機能の有無を通知し、
前記送信機において色空間ｓＹＣＣでの送信が選択された場合、前記工程（１）（２）及び（７）の受信機能が有りであれば、前記送信機は、メモリに記憶しているＪＰＥＧファイル情報をそのまま前記受信機に送信することを特徴とする。
【０００７】
【発明の実施の形態】
以下、添付図面を参照して本発明の好適な実施の形態を詳細に説明する。
【０００８】
［実施の形態１］
図１は、本発明の実施の形態に係るファクシミリ装置の構成を示すブロック図である。
【０００９】
図において、２はＮＣＵ（網制御装置）で、電話回線２ａをデータ通信等に使用するために電話回線２ａを介して他の端末に接続したり、電話交換網の接続制御を行う。またＮＣＵ２は、データ通信路への切り換えを行ったり、ループの保持を行う。更にＮＣＵ２は、ＣＰＵ２２によりバス２６を介して制御されることにより、電話回線２ａを電話機４側に接続（ＣＭＬオフ）したり、電話回線２ａをファクシミリ装置（ハイブリット回路６）側に接続（ＣＭＬオン）する。尚、通常状態では、電話回線２ａは電話機４側に接続されている。６はハイブリッド回路で、送信系の信号と受信系の信号とを分離し、加算回路１２からの送信信号１２ａをＮＣＵ２経由で電話回線２ａに送出する。また相手側からの信号をＮＣＵ２を経由して受け取り、信号線６ａ経由で復調器８に送る。８は変復調器（モデム）で、ＩＴＵ−Ｔ勧告Ｖ．８，Ｖ．２１，Ｖ．２７ｔｅｒ，Ｖ．２９，Ｖ．１７，Ｖ．３４に基づいた変調及び復調を行うことができる。尚、この変復調器８における伝送モードの指示は、バス２６を介してＣＰＵ２２の制御により行われる。この変復調器８は、バス２６を介して送信信号を入力し、その変調データを信号線８ａに出力して送信する。一方、信号線６ａを介して入力される受信信号を復調してバス２６に出力する。１０は発呼回路で、バス２６を介して電話番号情報を入力し、信号線１０ａにＤＴＭＦの選択信号を出力する。１２は加算回路で、信号線８ａの情報と信号線１０ａの情報を入力し、それらを加算した結果を信号線１２ａに出力する。
【００１０】
１４はカラー画像を読み取り可能な読取回路で、読み取ったカラー画像データをバス２６に出力する。１６はカラー画像の記録が可能な記録回路で、バス２６を介して記録情報を入力し、その記録情報に従って順次１ライン毎に記録する。
１８はメモリ（ＲＡＭ）回路で、ワーク用のメモリ（ＲＡＭ）、更に、読み取り回路１４で読み取った画像データの生情報、或いは、その画像情報を符号化した情報を格納したり、また、電話回線２ａを介して受信した受信情報、及びそれを復号した情報等を、バス２６を介して入力して格納している。２０は操作部で、ワンタッチダイヤル、短縮ダイヤル、テンキー、＊キー、＃キー、スタートキー、ストップキー、セットキー、カラー情報の読み取りを選択する選択キー、ファイル情報の送信を選択するキー、受信したファイル情報をカードへ転送する選択キー、その他のファンクションキーがあり、この操作部２０で操作されたキー情報はバス２６を介して出力される。この操作部２０には表示部が設けられており、この表示部には、バス２６を介して入力サれる情報が表示される。２２はＣＰＵ（中央処理装置）で、この実施の形態に係るファクシミリ装置全体の動作を制御をしたり、ファクシミリの伝送制御手順を実行している。なお、このＣＰＵ２２の制御プログラムはＲＯＭ２４に格納されている。２８はカード・インターフェース部で、カード３０（例えば、デジタルカメラで撮影した情報が記憶されているコンパクトフラッシュ（登録商標）カード）がセットされる。
【００１１】
図２は、本実施の形態に係る、解像度関連のビット情報、カラー関連のビット情報、更に、新規にＩＴＵ−Ｔ勧告Ｔ．３０に追加する情報を説明する図である。
（１）ＤＩＳ／ＤＴＣ信号のＦＩＦのビット６８により、色空間ＬａｂでのＪＰＥＧ受信機能の有無を通知する。またＤＣＳ信号のＦＩＦのビット６８により、色空間ＬａｂでのＪＰＥＧ送信を指定する。
（２）ＤＩＳ／ＤＴＣ信号のＦＩＦのビット６９により、色空間がＬａｂであるフルカラー受信機能の有無を通知する。またＤＣＳ信号のＦＩＦのビット６９により、色空間Ｌａｂであるフルカラー送信を指定する。
（３）ＤＩＳ／ＤＴＣ信号のＦＩＦのビット７０を「０」にする。またＤＣＳ信号のＦＩＦのビット７０により、色空間Ｌａｂである優先使用ハフマン符号表を指定する。
（４）ＤＩＳ／ＤＴＣ信号のＦＩＦのビット７１により、色空間Ｌａｂでの一画素情報の拡張ビット数の受信機能の有無（より具体的には、色空間Ｌａｂでの１２ビット／画素／要素の受信機能の有無）を通知する。またＤＣＳ信号のＦＩＦのビット７１により、色空間Ｌａｂでの一画素情報の拡張ビット数の送信を指定（より具体的には、色空間はＬａｂでの１２ビット／画素／要素送信を指定）する。標準的には、色空間Ｌａｂでの８ビット／画素／要素の受信機能を備えている。
（５）ＤＩＳ／ＤＴＣ信号のＦＩＦのビット７３により、色空間Ｌａｂでのオプションサブサンプリングの受信機能の有無（より具体的には、色空間Ｌａｂでのサブサンプリング無し（１：１：１）の受信機能の有無）を通知する。またＤＣＳ信号のＦＩＦのビット７３により、色空間Ｌａｂでのオプションサブサンプリングの送信を指定（より具体的には、色空間Ｌａｂでのサブサンプリング無し（１：１：１）送信を指定）する。標準的には、色空間Ｌａｂでのサブサンプリング（４：１：１）の受信機能を備えている。
（６）ＤＩＳ／ＤＴＣ信号のＦＩＦのビット７４により、色空間Ｌａｂでの非標準照射光での受信機能の有無を通知する。またＤＣＳ信号のＦＩＦのビット７４により、色空間Ｌａｂでの非標準照射光での送信を指定する。
（７）ＤＩＳ／ＤＴＣ信号のＦＩＦのビット７５により、色空間Ｌａｂでの非標準ガミュート範囲での受信機能の有無を通知する。また、ＤＣＳ信号のＦＩＦのビット７５により、色空間Ｌａｂでの非標準ガミュート範囲での送信を指定する。
（８）ＤＩＳ／ＤＴＣ信号のＦＩＦのビットＸにより、色空間ｓＹＣＣでの受信機能の有無を通知する。また、ＤＣＳ信号のＦＩＦのビットＸにより、色空間ｓＹＣＣでの送信を指定する。
【００１２】
このＤＩＳ／ＤＴＣ信号のＦＩＦのビットＸが「１」であると、ＤＩＳ／ＤＴＣ信号のビット６８，６９，７１，７３は、全て色空間ｓＹＣＣに対しても適用される。ここで、ビット７３により、色空間ｓＹＣＣでのサブサンプリング（４：１：１）の受信機能の有無を通知する（標準的には、色空間ｓＹＣＣでのサブサンプリング（４：２：２）の受信機能を有する）。
【００１３】
一方、ＤＣＳ信号のＦＩＦのビットＸが「１」であると、ＤＣＳ信号のビット６８，６９，７１，７３は、全て色空間ｓＹＣＣに対しても適用される。ここで、ビット７３により、色空間ｓＹＣＣでのサブサンプリング（４：１：１）の送信の指定を通知する（標準的には、色空間ｓＹＣＣでのサブサンプリング（４：２：２）の受信機能を有する）。
【００１４】
図１におけるＲＯＭ２４には、カラー情報を通信可能な画像通信装置において、前手順にて、受信機から送信機に、色空間ＬａｂでのＪＰＥＧ符号化情報の受信機能の有無を通知する手段、色空間Ｌａｂでのフルカラー情報の受信機能の有無を通知する手段、色空間Ｌａｂでの一画素情報の拡張ビット数の受信機能の有無を通知する手段、色空間Ｌａｂでのオプションサブサンプリングの受信機能の有無を通知する手段、色空間Ｌａｂでの非標準照射光の受信機能の有無を通知する手段、色空間Ｌａｂでの非標準ガミュート範囲の受信機能の有無を通知する手段、色空間ｓＹＣＣでの受信機能の有無を通知する手段を有し、色空間ｓＹＣＣでの送信が選択された時は、ＪＰＥＧファイル情報を変更せずに送信する機能を有している。
【００１５】
ここで、色空間Ｌａｂでの送信が選択された時は、ＪＰＥＧファイル情報は任意に作成して送信する。
【００１６】
又前手順にて、ＤＩＳ／ＤＴＣ信号のビットＸにより、受信機から送信機に色空間ｓＹＣＣでの受信機能有りが通知されると、色空間ＬａｂでのＪＰＥＧ符号化情報の受信機能の有無（ＤＩＳ／ＤＴＣ信号のビット６８）は、色空間ｓＹＣＣでのＪＰＥＧ符号化情報の受信機能の有無も含む。また色空間Ｌａｂでのフルカラー情報の受信機能の有無（ＤＩＳ／ＤＴＣ信号のビット６９）は、色空間ｓＹＣＣでのフルカラー情報の受信機能の有無も含む。また、色空間Ｌａｂでの一画素情報の拡張ビット数の受信機能の有無（ＤＩＳ／ＤＴＣ信号のビット７１）は、色空間ｓＹＣＣでの一画素情報の拡張ビット数の受信機能の有無も含み、色空間Ｌａｂでのオプションサブサンプリングの受信機能の有無（ＤＩＳ／ＤＴＣ信号のビット７３）は、色空間ｓＹＣＣでのオプションサブサンプリングの受信機能の有無も含む。
【００１７】
また前手順にて、送信機から受信機に、色空間ＬａｂでのＪＰＥＧ符号化情報の送信を指定する手段、色空間Ｌａｂでのフルカラー情報の送信を指定する手段、色空間Ｌａｂでの一画素情報の拡張ビット数の送信を指定する手段、色空間Ｌａｂでのサブサンプリングの送信を指定する手段、色空間Ｌａｂでの非標準照射光の送信を指定する手段、色空間Ｌａｂでの非標準ガミュート範囲の送信を指定する手段、色空間ｓＹＣＣでの送信を指定する手段を有し、前手順にて、送信機から受信機に、ＤＣＳ信号のビットＸにより、色空間ｓＹＣＣでの送信を指定すると、色空間ＬａｂでのＪＰＥＧ符号化情報の送信指定（ＤＳＣ信号のビット６８）は、色空間ｓＹＣＣでのＪＰＥＧ符号化情報の送信指定となる。また色空間Ｌａｂでのフルカラー情報の送信指定（ＤＳＣ信号のビット６９）は、色空間ｓＹＣＣでのフルカラー情報の送信指定となる。また、色空間Ｌａｂでの一画素情報の拡張ビット数の送信指定（ＤＳＣ信号のビット７１）は、色空間ｓＹＣＣでの一画素情報の拡張ビット数の送信指定となる。更に、色空間Ｌａｂでのオプションサブサンプリングの送信指定（ＤＳＣ信号のビット７３）は、色空間ｓＹＣＣでのサブサンプリングの送信指定となる。以上の制御プログラムがＲＯＭ２４に格納されている。
【００１８】
次に図３〜図１０のフローチャートを参照して、本実施の形態に係るファクシミリ装置における制御処理の流れについて説明する。尚、この制御処理を実行するプログラムはＲＯＭ２４に記憶されており、この処理はＣＰＵ２２の制御の下に実行される。
【００１９】
図３において、まずステップＳ１で、バス２６を介して、メモリ１８をイニシャライズする。次にステップＳ２に進み、バス２６を介して、操作部２０の表示部をクリアする。次にステップＳ３に進み、バス２６を介してＮＣＵ２のＣＭＬをオフする。次にステップＳ４に進み、受信が選択されたか否かを判断し、受信が選択された時はステップＳ５に進み、そうでない時はステップＳ６に進み、送信が選択されたか否かを判断し、送信が指示された時はステップＳ１１に進み、そうでない時はステップＳ７に進み、その他の処理を実行した後、ステップＳ３に戻る。
【００２０】
ステップＳ４で受信が選択された時はステップＳ５に進み、バス２６を介してＮＣＵ２のＣＭＬをオンする。そしてステップＳ８に進み、前手順を実行する。
ここでは、ＤＩＳ信号のＦＩＦのビット６８，６９，７１，７３，７４，７５及びビットＸを「１」にする（色空間ＬａｂでのＪＰＥＧ受信機能、フルカラー受信機能、一画素情報の拡張ビット数の受信機能、オプションサンプリングの受信機能、非標準光での受信機能、非標準がミュート範囲での受信機能、色空間ｓＹＣＣでの受信機能有りに設定）。次にステップＳ９に進み、送信機から指定された通信モードでのファクシミリ受信及び記録処理を実行する。そしてステップＳ１０に進み、後手順を実行してステップＳ３に戻る。
【００２１】
又ステップＳ６で送信が選択されている時はステップＳ１１（図４）に進み、バス２６を介してＮＣＵ２のＣＭＬをオンする。次にステップＳ１２に進み、発呼回路１０を使用して、指定された宛先へ発呼する。次にステップＳ１３に進み、カラーファイル情報の送信が選択されたか否かを判断し、そうであれば、色空間ｓＹＣＣで１２ビット／画素／要素での送信としてステップＳ１４に進む。一方、カラーファイルの送信でなければステップＳ２０に進む。
【００２２】
ステップＳ１４では、前手順を実行し、次にステップＳ１５に進み、ＤＩＳ信号のＦＩＦのビット６８，６９，ビットＸが「１」であるか否かを判断し、そうであれば（色空間ＬａｂでのＪＰＥＧ受信機能、フルカー受信機能、色空間ｓＹＣＣでの受信機能有り）ステップＳ１６に進むが、そうでない時はステップＳ１８に進み、操作部２０の表示部に「カラーファイル通信は中断します」と表示する。尚、この表示は、何らかのキー操作で消去される。そしてステップＳ３に戻る。
【００２３】
一方、ステップＳ１５でＤＩＳ信号のＦＩＦのビット６８，６９，ビットＸが「１」であればステップＳ１６に進み、ＤＩＳ信号のＦＩＦのビット７１が「１」であるか（色空間Ｌａｂでの一画素情報の拡張ビット数の受信機能有り）否かを判断し、そうでなければ前述のステップＳ１８に進む。ステップＳ１６でＤＩＳ信号のＦＩＦのビット７１が「１」であればステップＳ１７に進み、残りの前手順を実行する。ここでは、ＤＣＳ信号のＦＩＦのビット６８，６９，７１、ビットＸを「１」とする。
【００２４】
次にステップＳ１９（図５）に進み、コンパクトフラッシュ（登録商標）カード３０に格納されている情報をカードインターフェース２５を介して読込み、何も変更せずにそのまま、色空間ｓＹＣＣで１２ビット／画素／要素のＪＰＥＧ符号化情報としてフルカラー送信を実行する。そしてッステップＳ２０に進み、後手順を実行してステップＳ３に進む。
【００２５】
ステップＳ１３（図４）でカラーファイルの送信でない時はステップＳ２１（図６）に進み、カラー原稿情報の送信が選択されたか否かを判断し、選択された時はステップＳ２２に進み、色空間Ｌａｂの１２ビット／画素／要素で、非標準照射光での送信とするが、そうでない時はステップＳ２６に進む。
【００２６】
ステップＳ２２では、ＤＩＳ信号のＦＩＦのビット６８、ビット６９が「１」であるか（色空間ＬａｂでのＪＰＥＧ受信及びフルカラー受信可能）否かを判断し、「１」であればステップＳ２３に進み、そうでない時はステップＳ２５に進む。
【００２７】
ステップＳ２１で、カラー原稿情報の送信が選択されていないときはステップＳ２６に進み、残りの前手順を実行する。ここでは、ＤＣＳ信号のＦＩＦのビット６８，６９，７０，７１，７３，７４，７５及びビットＸを全て「０」とする。次にステップＳ２７に進み、読み取り回路１４により、モノクロ情報として原稿を読み取り、モノクロ情報として送信する。そしてステップＳ２８に進み、後手順を実行してステップＳ３に戻る。
【００２８】
又ステップＳ２２で、ＤＩＳ信号のＦＩＦのビット６８、ビット６９が「１」であればステップＳ２３に進み、ＤＩＳ信号のＦＩＦのビット７１が「１」である（色空間Ｌａｂでの一画素情報の拡張ビット数の受信可能）か否かを判断し、そうであればステップＳ２４に進み、そうでない時はステップＳ２４に進む。ステップＳ２４では、ＤＩＳ信号のＦＩＦのビット７４が「１」であるか（色空間Ｌａｂでの非標準光での受信可能）否かを判断し、そうであればステップＳ３１（図７）に進み、そうでない時はステップＳ３３（図８）に進む。
【００２９】
又ステップＳ２３で、ＤＩＳ信号のＦＩＦのビット６８、ビット６９が「１」でない時はステップＳ２５に進み、ＤＩＳ信号のＦＩＦのビット７４が「１」である（色空間Ｌａｂでの非標準光での受信可能）か否かを判断し、そうであればステップＳ４０（図９）に進み、そうでない時はステップＳ４３（図１０）に進む。
【００３０】
ステップＳ２４で、ＤＩＳ信号のＦＩＦのビット７４が「１」であればステップＳ３０（図７）に進み、残りの前手順を実行する。ここでは、ＤＣＳ信号のＦＩＦのビット６８，６９，７１，７４を「１」とする。次にステップＳ３１に進み、カラー原稿情報を非標準光で、１２ビット／画素／要素にて、色空間ＬａｂでＪＰＥＧ符号化にてフルカラーによる送信を実行する。ここで、ＪＰＥＧ符号化のＡＰＰ１マーカで非標準光を指定する。そしてステップＳ３２に進み、後手順を実行してステップＳ３に戻る。
【００３１】
又ステップＳ２４で、ＤＩＳ信号のＦＩＦのビット７４が「１」でない時はステップＳ３３（図８）に進み、残りの前手順を実行する。ここでは、ＤＣＳ信号のＦＩＦのビット６８，６９，７１を「１」とする。そしてステップＳ３４に進み、カラー原稿情報を非標準光から標準光に変換して、１２ビット／画素／要素にて、色空間ＬａｂでＪＰＥＧ符号化にてフルカラーによる送信を実行する。次にステップＳ３５に進み、後手順を実行してステップＳ３に戻る。
【００３２】
又ステップＳ２５で、ＤＩＳ信号のＦＩＦのビット７４が「１」であればステップＳ４０（図９）に進み、残りの前手順を実行する。ここで、ＤＣＳ信号のＦＩＦのビット６８，６９，７４を「１」とする。そしてステップＳ４１に進み、カラー原稿情報を非標準光で、１２ビット／画素／要素から８ビット／画素／要素に変換して、色空間ＬａｂでＪＰＥＧ符号化にてフルカラーによる送信を実行する。ここで、ＪＰＥＧ符号化のＡＰＰ１マーカで非標準光を指定する。そしてステップＳ４２に進み、後手順を実行してステップＳ３に戻る。
【００３３】
又ステップＳ２５で、ＤＩＳ信号のＦＩＦのビット７４が「１」でなければステップＳ４３（図１０）に進み、残りの前手順を実行する。ここで、ＤＣＳ信号のＦＩＦのビット６８，６９を「１」とする。次にステップＳ４４に進み、カラー原稿情報を非標準光から標準光に変換し、また、１２ビット／画素／要素から８ビット／画素／要素に変換して、色空間ＬａｂでＪＰＥＧ符号化にてフルカラーによる送信を実行する。そしてステップＳ４５に進み、後手順を実行してステップＳ３に戻る。
【００３４】
［他の実施の形態］
本発明の目的は前述したように、実施形態の機能を実現するソフトウェアのプログラムコードを記録した記憶媒体をシステム或は装置に提供し、そのシステム或は装置のコンピュータ（又はＣＰＵやＭＰＵ）が記憶媒体に格納されたプログラムコードを読み出し実行することによっても達成される。この場合、記憶媒体から読み出されたプログラムコード自体が前述した実施形態の機能を実現することになり、そのプログラムコードを記憶した記憶媒体は本発明を構成することになる。このようなプログラムコードを供給するための記憶媒体としては、例えば、フロッピィ（登録商標）ディスク、ハードディスク、光ディスク、光磁気ディスク、ＣＤ−ＲＯＭ，ＣＤ−Ｒ、磁気テープ、不揮発性のメモリカード、ＲＯＭなどを用いることができる。
【００３５】
また、コンピュータが読み出したプログラムコードを実行することにより、前述した実施の形態の機能が実現されるだけでなく、そのプログラムコードの指示に基づき、コンピュータ上で稼動しているＯＳ（オペレーティングシステム）などが実際の処理の一部又は全部を行い、その処理によって前述した実施の形態の機能が実現される場合も含まれている。
【００３６】
更に、記憶媒体から読み出されたプログラムコードが、コンピュータに挿入された機能拡張ボードやコンピュータに接続された機能拡張ユニットに備わるメモリに書きこまれた後、そのプログラムコードの指示に基づき、その機能拡張ボードや機能拡張ユニットに備わるＣＰＵなどが実際の処理の一部又は全部を行い、その処理によって前述した実施の形態の機能が実現される場合も含む。
【００３７】
以上説明したように本実施の形態によれば、色空間ｓＹＣＣの画像ファイルをそのまま送信でき、又受信機でもその画像ファイルを受信して処理できる。又その受信した画像ファイルをそのままコンパクトフラッシュ（登録商標）カードへアップロードできる。
【００３８】
また、色空間ｓＹＣＣの画像ファイルでＪＰＥＧ形式の情報を送信できるため、受信側の装置に合ったファクシミリカラー通信が可能となる。
【００３９】
又本実施の形態によれば、前手順で色空間ｓＹＣＣでの受信機能の有無を示す１ビットを追加するのみで、一画素情報の拡張ビット数、サブサンプリングの通知は、ＤＩＳ信号、ＤＣＳ信号、ＤＴＣ信号のＦＩＦに１ビットを増加するだけで実現できる。これにより、ＦＩＦの今後の拡張の可能性を残して、色空間Ｌａｂのみならず色空間ｓＹＣＣに対しても適用できるようになった。
【００４０】
本発明の実施態様の例を以下に列挙ずる。
【００４１】
［実施態様１］　カラー画像情報を通信する通信制御方法であって、
受信機から送信機に対して、
（１）色空間ＬａｂでのＪＰＥＧ符号化情報の受信機能の有無を通知し、
（２）色空間Ｌａｂでのフルカラー情報の受信機能の有無を通知し、
（３）色空間Ｌａｂでの一画素情報の拡張ビット数の受信機能の有無を通知し、
（４）色空間Ｌａｂでのオプションサブサンプリングの受信機能の有無を通知し、
（５）色空間Ｌａｂでの非標準照射光の受信機能の有無を通知し、
（６）色空間Ｌａｂでの非標準ガミュート範囲の受信機能の有無を通知し、
（７）色空間ｓＹＣＣでの受信機能の有無を通知し、
前記送信機において色空間ｓＹＣＣでの送信が選択された場合、前記工程（１）（２）及び（７）の受信機能が有りであれば、前記送信機は、メモリに記憶しているＪＰＥＧファイル情報をそのまま前記受信機に送信することを特徴とする通信制御方法。
【００４２】
［実施態様２］　前記前手順にて、前記受信機から前記送信機に色空間ｓＹＣＣでの受信機能有りが通知されると、前記工程（１）乃至（６）における受信機能の有無は、色空間ｓＹＣＣでの受信機能の有無に対応することを特徴とする実施態様１に記載の通信制御方法。
【００４３】
［実施態様３］　カラー画像情報を通信する通信制御方法であって、
送信機から受信機に対して、
（１）色空間ＬａｂでのＪＰＥＧ符号化情報の送信を指定し、
（２）色空間Ｌａｂでのフルカラー情報の送信を指定し、
（３）色空間Ｌａｂでの一画素情報の拡張ビット数の送信を指定し、
（４）色空間Ｌａｂでのオプションサブサンプリングの送信を指定し、
（５）色空間Ｌａｂでの非標準照射光での送信を指定し、
（６）色空間Ｌａｂでの非標準ガミュート範囲での送信を指定し、
（７）色空間ｓＹＣＣでの送信を指定し、
前記送信機において色空間ｓＹＣＣでの送信が選択された場合、前記工程（１）乃至（６）における送信指定は、前記色空間ｓＹＣＣでの送信指定に対応することを特徴とする通信制御方法。
【００４４】
［実施態様４］　カラー画像情報を通信する通信装置であって、
（１）受信機における色空間ＬａｂでのＪＰＥＧ符号化情報の受信機能の有無を判別する手段と、
（２）受信機における色空間Ｌａｂでのフルカラー情報の受信機能の有無をを判別する手段と、
（３）受信機における色空間Ｌａｂでの一画素情報の拡張ビット数の受信機能の有無を判別する手段と、
（４）受信機における色空間Ｌａｂでのオプションサブサンプリングの受信機能の有無を判別する手段と、
（５）受信機における色空間Ｌａｂでの非標準照射光の受信機能の有無を判別する手段と、
（６）受信機における色空間Ｌａｂでの非標準ガミュート範囲の受信機能の有無を判別する手段と、
（７）受信機における色空間ｓＹＣＣでの受信機能の有無を判別する手段とを有し、
色空間ｓＹＣＣでの送信が選択された場合、前記手段（１）（２）及び（７）の判定において受信機能有りであれば、メモリに記憶しているＪＰＥＧファイル情報をそのまま前記受信機に送信することを特徴とする通信装置。
【００４５】
［実施態様５］　前記前手順にて、前記受信機から色空間ｓＹＣＣでの受信機能有りが通知されると、前記手段（１）乃至（６）において判定された受信機能の有無は、色空間ｓＹＣＣでの受信機能の有無に対応することを特徴とする実施態様４に記載の通信装置。
【００４６】
［実施態様６］　カラー画像情報を通信する通信装置であって、
（１）受信機に対して色空間ＬａｂでのＪＰＥＧ符号化情報の送信を指定する手段と、
（２）受信機に対して色空間Ｌａｂでのフルカラー情報の送信を指定する手段と、
（３）受信機に対して色空間Ｌａｂでの一画素情報の拡張ビット数の送信を指定する手段と、
（４）受信機に対して色空間Ｌａｂでのオプションサブサンプリングの送信を指定する手段と、
（５）受信機に対して色空間Ｌａｂでの非標準照射光での送信を指定する手段と、
（６）受信機に対して色空間Ｌａｂでの非標準ガミュート範囲での送信を指定する手段と、
（７）受信機に対して色空間ｓＹＣＣでの送信を指定する手段とを有し、
前記色空間ｓＹＣＣでの送信が選択された場合、前記手段（１）乃至（６）における送信指定は、前記色空間ｓＹＣＣでの送信指定に対応することを特徴とする通信装置。
【００４７】
【発明の効果】
以上説明したように本発明によれば、色空間ｓＹＣＣのカラー画像情報を容易に送受信できるという効果がある。
【図面の簡単な説明】
【図１】本発明の実施の形態に係るファクシミリ装置の構成を示す機能ブロック図である。
【図２】本実施の形態のファクシミリ装置で使用されるＤＩＳ／ＤＴＣ，ＤＣＳ信号のＦＩＦ情報の具体例を示す図である。
【図３】本実施の形態に係るファクシミリ装置における制御の流れを説明するフローチャートである。
【図４】本実施の形態に係るファクシミリ装置における制御の流れを説明するフローチャートである。
【図５】本実施の形態に係るファクシミリ装置における制御の流れを説明するフローチャートである。
【図６】本実施の形態に係るファクシミリ装置における制御の流れを説明するフローチャートである。
【図７】本実施の形態に係るファクシミリ装置における制御の流れを説明するフローチャートである。
【図８】本実施の形態に係るファクシミリ装置における制御の流れを説明するフローチャートである。
【図９】本実施の形態に係るファクシミリ装置における制御の流れを説明するフローチャートである。
【図１０】本実施の形態に係るファクシミリ装置における制御の流れを説明するフローチャートである。
【図１】
2004140466.tif 000003
【図２】
2004140466.tif 000004
【図３】
2004140466.tif 000005
【図４】
2004140466.tif 000006
【図５】
2004140466.tif 000007
【図６】
2004140466.tif 000008
【図７】
2004140466.tif 000009
【図８】
2004140466.tif 000010
【図９】
2004140466.tif 000011
【図１０】
2004140466.tif 000012